(57)【特許請求の範囲】
【請求項１】
廃棄物を収納するための収納室を有する廃棄物収集具であって、
プラスチック製で、前記収納室の側方を囲むよう設けられた複数の側壁板と、第１固定部材と第２固定部材とを有し、
前記側壁板は第１乃至第６側壁板の６枚から成り、前記第１側壁板から順に平面状に一列に並べて配置された展開位置と、隣り合う側壁板との境界で折り曲げて、前記第６側壁板の前記第５側壁板とは反対側の縁部が前記第３側壁板の中央部に近接して配置され、前記第１側壁板の前記第２側壁板とは反対側の縁部が前記第５側壁板と前記第６側壁板との境界に近接して配置されて前記収納室を２つ形成する使用位置との間で変形可能であり、
前記第１固定部材は、前記使用位置のとき、前記第６側壁板の前記第５側壁板とは反対側の縁部を前記第３側壁板の中央部に固定可能に設けられ、
前記第２固定部材は、前記使用位置のとき、前記第１側壁板の前記第２側壁板とは反対側の縁部を前記第５側壁板と前記第６側壁板との境界に固定可能に設けられていることを、
特徴とする廃棄物収集具。
【発明の詳細な説明】
【技術分野】
【０００１】
本発明は、廃棄物収集具に関する。
【背景技術】
【０００２】
従来、産業廃棄物等のゴミを収集するために、２ｍ３程度の容量を有する、直方体形状の鉄製のカゴが一般的に使用されている（例えば、特許文献１参照）。
【０００３】
【特許文献１】実開平５−１０３０６号公報
【発明の開示】
【発明が解決しようとする課題】
【０００４】
しかしながら、特許文献１に記載のような従来の鉄製のカゴは、重量があり、内部に何も入っていない設置時でも、クレーン車で持ち上げる必要があり、コストが嵩むという課題があった。また、内部が廃棄物で一杯になった場合、廃棄物を回収するためにクレーン車で持ち上げたとき、重すぎてクレーン車が斜めに傾く危険性があるという課題もあった。
【０００５】
本発明は、このような従来の課題に着目してなされたもので、設置が容易で、廃棄物回収時の安全性が高い廃棄物収集具を提供することを目的とする。
【課題を解決するための手段】
【０００６】
上記目的を達成するために、本発明に係る廃棄物収集具は、廃棄物を収納するための収納室を有する廃棄物収集具であって、プラスチック製で、前記収納室の側方を囲むよう設けられた複数の側壁板と、第１固定部材と第２固定部材とを有し、前記側壁板は第１乃至第６側壁板の６枚から成り、前記第１側壁板から順に平面状に一列に並べて配置された展開位置と、隣り合う側壁板との境界で折り曲げて、前記第６側壁板の前記第５側壁板とは反対側の縁部が前記第３側壁板の中央部に近接して配置され、前記第１側壁板の前記第２側壁板とは反対側の縁部が前記第５側壁板と前記第６側壁板との境界に近接して配置されて前記収納室を２つ形成する使用位置との間で変形可能であり、前記第１固定部材は、前記使用位置のとき、前記第６側壁板の前記第５側壁板とは反対側の縁部を前記第３側壁板の中央部に固定可能に設けられ、前記第２固定部材は、前記使用位置のとき、前記第１側壁板の前記第２側壁板とは反対側の縁部を前記第５側壁板と前記第６側壁板との境界に固定可能に設けられていることを、特徴とする。
【０００７】
本発明に係る廃棄物収集具は、各側壁板がプラスチック製で軽量であるため、クレーン車等を使用することなく、コストを抑えて、容易に設置することができる。また、収納室に廃棄物収集用の袋を入れておくことにより、廃棄物が収納された袋だけを取り出して廃棄物を回収することができる。このため、廃棄物を回収するためにクレーン車で袋を持ち上げても、鉄製のカゴを同時に持ち上げる場合に比べて軽いため、クレーン車が傾く危険性が低く、廃棄物回収時の安全性を高めることができる。また、各側壁板がプラスチック製であるため、内部が見えず、見た目が良く、錆びない。表面処理により、色あせを防ぐこともできる。
【０００９】
本発明に係る廃棄物収集具は、設置時および撤去時に展開位置に変形することにより、嵩張らず容易に運搬することができる。また、収納時にも、場所をとらずスペースを節約することができる。収納室が２つ形成されるため、廃棄物を容易に分別収集することができ、処分時に余分なコストが発生せず、コストの低減を図ることができる。
【発明の効果】
【００１０】
本発明によれば、設置が容易で、廃棄物回収時の安全性が高い廃棄物収集具を提供することができる。
【発明を実施するための最良の形態】
【００１１】
以下、図面に基づき本発明の実施の形態について説明する。
図１および図２は、本発明の関連技術の廃棄物収集具を示している。
図１および図２に示すように、廃棄物収集具１０は、第１乃至第４側壁板１１，１２，１３，１４と固定部材１５とを有している。
【００１２】
第１乃至第４側壁板１１，１２，１３，１４は、プラスチック製で、同じ大きさの矩形状を成している。図２に示すように、第１乃至第４側壁板１１，１２，１３，１４は、第１側壁板１１の一方の長辺１１ａと第２側壁板１２の一方の長辺１２ａ、第２側壁板１２の他方の長辺１２ｂと第３側壁板１３の一方の長辺１３ａ、第３側壁板１３の他方の長辺１３ｂと第４側壁板１４の一方の長辺１４ａ、がそれぞれ２つの蝶番１６で接続されている。各蝶番１６は、第１乃至第４側壁板１１，１２，１３，１４が隣の側壁板に対して同じ側に閉じるよう取り付けられている。
【００１３】
こうして、第１乃至第４側壁板１１，１２，１３，１４は、平面状に一列に並べて配置された、図２に示す展開位置と、隣り合う側壁板との境界で折り曲げて、第１側壁板１１の他方の長辺１１ｂと第４側壁板１４の他方の長辺１４ｂとが近接するよう配置されて、廃棄物を収納するための収納室１７を形成する、図１に示す使用位置との間で変形可能になっている。収納室１７は、使用位置のとき、第１乃至第４側壁板１１，１２，１３，１４により側方を囲まれている。なお、第１乃至第４側壁板１１，１２，１３，１４は、使用位置のとき収納室１７の内部に入れた廃棄物収集用の袋が動かないよう、収納室１７の開口近傍の外側面に、袋の持ち手を引っ掛けるためのフック１８を有している。
【００１４】
固定部材１５は、２対の留め金具から成り、それぞれオス側１５ａとメス側１５ｂとを着脱させるようになっている。固定部材１５は、各留め金具のオス側１５ａが第１側壁板１１の他方の長辺１１ｂに、各留め金具のメス側１５ｂが第４側壁板１４の他方の長辺１４ｂに取り付けられている。こうして、固定部材１５は、使用位置のとき、第１側壁板１１の他方の長辺１１ｂと第４側壁板１４の他方の長辺１４ｂとを、着脱可能に固定するようになっている。
【００１５】
なお、具体的な一例では、第１乃至第４側壁板１１，１２，１３，１４は、それぞれ長辺の長さが１．２ｍ、短辺の長さが０．９５ｍである。また、廃棄物収集用の袋は、市販のトン袋から成っている。
【００１６】
次に、作用について説明する。
廃棄物収集具１０は、第１乃至第４側壁板１１，１２，１３，１４がプラスチック製で軽量であるため、クレーン車等を使用することなく、コストを抑えて、容易に設置することができる。また、収納室１７に廃棄物収集用の袋を入れておくことにより、廃棄物が収納された袋だけを取り出して廃棄物を回収することができる。このため、廃棄物を回収するためにクレーン車で袋を持ち上げても、鉄製のカゴを同時に持ち上げる場合に比べて軽いため、クレーン車が傾く危険性が低く、廃棄物回収時の安全性を高めることができる。
【００１７】
廃棄物収集具１０は、設置時および撤去時に展開位置に変形することにより、嵩張らず容易に運搬することができる。また、収納時にも、場所をとらずスペースを節約することができる。第１乃至第４側壁板１１，１２，１３，１４がプラスチック製であるため、内部が見えず、見た目が良く、錆びない。表面処理により、色あせを防ぐこともできる。
【００１８】
図３乃至図５は、本発明の実施の形態の廃棄物収集具２０を示している。
図３乃至図５に示すように、廃棄物収集具２０は、第１乃至第６側壁板２１，２２，２３，２４，２５，２６と第１固定部材２７と第２固定部材２８とを有している。
【００１９】
第１乃至第６側壁板２１，２２，２３，２４，２５，２６は、プラスチック製である。第１側壁板２１、第２側壁板２２、第４側壁板２４、第５側壁板２５および第６側壁板２６は、ほぼ同じ大きさの矩形状を成している。第３側壁板２３は、他の側壁板の短辺の約２倍の長さの長辺と、他の側壁板の長辺と同じ長さの短辺とを有している。図４に示すように、第１乃至第６側壁板２１，２２，２３，２４，２５，２６は、第１側壁板２１の一方の長辺２１ａと第２側壁板２２の一方の長辺２２ａ、第２側壁板２２の他方の長辺２２ｂと第３側壁板２３の一方の短辺２３ａ、第３側壁板２３の他方の短辺２３ｂと第４側壁板２４の一方の長辺２４ａ、第４側壁板２４の他方の長辺２４ｂと第５側壁板２５の一方の長辺２５ａ、第５側壁板２５の他方の長辺２５ｂと第６側壁板２６の一方の長辺２６ａがそれぞれ２つの蝶番２９で接続されている。各蝶番２９は、第１乃至第６側壁板２１，２２，２３，２４，２５，２６が隣の側壁板に対して同じ側に閉じるよう取り付けられている。
【００２０】
こうして、第１乃至第６側壁板２１，２２，２３，２４，２５，２６は、平面状に一列に並べて配置された、図４に示す展開位置と、隣り合う側壁板との境界で折り曲げて、図５に示すように第６側壁板２６の他方の長辺２６ｂが第３側壁板２３の中央部に近接して配置され、第１側壁板２１の他方の長辺２１ｂが第５側壁板２５と第６側壁板２６との境界に近接して配置されて、廃棄物を収納するための収納室３０を２つ形成する、図３に示す使用位置との間で変形可能になっている。各収納室３０は、使用位置のとき、それぞれ第１乃至第３側壁板２１，２２，２３および第６側壁板２６、第３乃至第６側壁板２３，２４，２５，２６により側方を囲まれている。なお、第１乃至第５側壁板２１，２２，２３，２４，２５は、使用位置のとき各収納室３０の内部に入れた廃棄物収集用の袋が動かないよう、各収納室３０の開口近傍の外側面に、袋の持ち手を引っ掛けるためのフック３１を有している。
【００２１】
第１固定部材２７および第２固定部材２８は、それぞれ２対の留め金具から成り、オス側２７ａ，２８ａとメス側２７ｂ，２８ｂとを着脱させるようになっている。第１固定部材２７は、各留め金具のオス側２７ａが第３側壁板２３の長さ方向の中央部に、各留め金具のメス側２７ｂが第６側板２６の他方の長辺２６ｂに取り付けられている。また、第２固定部材２８は、各留め金具のオス側２８ａが第５側壁板２５の他方の長辺２５ｂに、各留め金具のメス側２８ｂが第１側壁板２１の他方の長辺２１ｂに取り付けられている。
【００２２】
こうして、第１固定部材２７は、使用位置のとき、第６側壁板２６の他方の長辺２６ｂを、第３側壁板２３の長さ方向の中央部に着脱可能に固定するようになっている。また、第２固定部材２８は、使用位置のとき、第１側壁板２１の他方の長辺２１ｂを、第５側壁板２５と第６側壁板２６との境界に着脱可能に固定するようになっている。
【００２３】
なお、具体的な一例では、第１側壁板２１、第２側壁板２２、第４側壁板２４、第５側壁板２５および第６側壁板２６は、それぞれ長辺の長さが１．２ｍ、短辺の長さが０．９５ｍである。第３側壁板２３は、長辺の長さが１．９ｍ、短辺の長さが１．２ｍである。また、廃棄物収集用の袋は、市販のトン袋から成っている。
【００２４】
次に、作用について説明する。
廃棄物収集具２０は、第１乃至第６側壁板２１，２２，２３，２４，２５，２６がプラスチック製で軽量であるため、クレーン車等を使用することなく、コストを抑えて、容易に設置することができる。また、各収納室３０に廃棄物収集用の袋を入れておくことにより、廃棄物が収納された袋だけを取り出して廃棄物を回収することができる。このため、廃棄物を回収するためにクレーン車で袋を持ち上げても、鉄製のカゴを同時に持ち上げる場合に比べて軽いため、クレーン車が傾く危険性が低く、廃棄物回収時の安全性を高めることができる。
【００２５】
廃棄物収集具２０は、設置時および撤去時に展開位置に変形することにより、嵩張らず容易に運搬することができる。また、収納時にも、場所をとらずスペースを節約することができる。第１乃至第６側壁板２１，２２，２３，２４，２５，２６がプラスチック製であるため、内部が見えず、見た目が良く、錆びない。表面処理により、色あせを防ぐこともできる。
【００２６】
産業廃棄物としては、木屑、鉄屑、プラスチック、石膏ボード、紙屑、ガラス屑等、様々なものがあり、従来の鉄製のカゴでは分別収集が困難であり、分別収集されていない場合、処分場や中間処理場、最終処理場などで処分するとき、余分なコストが嵩んでいた。これに対し、廃棄物収集具２０は、収納室３０が２つ形成されるため、廃棄物を容易に分別収集することができ、処分時に余分なコストが発生せず、コストの低減を図ることができる。
【図面の簡単な説明】
【００２７】
【図１】本発明の関連技術の廃棄物収集具を示す、使用位置のときの斜視図である。
【図２】図１に示す廃棄物収集具の展開位置のときの斜視図である。
【図３】本発明の実施の形態の廃棄物収集具を示す、使用位置のときの斜視図である。
【図４】図３に示す廃棄物収集具の展開位置のときの斜視図である。
【図５】図３に示す廃棄物収集具の、展開位置から使用位置に変形するときの斜視図である。
【符号の説明】
【００２８】
１０  廃棄物収集具
１１  第１側壁板
１２  第２側壁板
１３  第３側壁板
１４  第４側壁板
１５  固定部材
１６  蝶番
１７  収納室
１８  フック
【要約】
【課題】設置が容易で、廃棄物収集時の安全性が高い廃棄物収集具を提供する。
【解決手段】第１乃至第４側壁板１１，１２，１３，１４が、プラスチック製で、廃棄物を収納するための収納室１７の側方を囲むよう設けられている。第１乃至第４側壁板１１，１２，１３，１４は、平面状に一列に並べて配置された展開位置と、隣り合う側壁板との境界で折り曲げて、第１側壁板１１の他方の長辺１１ｂと第４側壁板１４の他方の長辺１４ｂとが近接するよう配置されて、収納室１７を形成する使用位置との間で変形可能になっている。固定部材１５が、使用位置のとき、第１側壁板１１の他方の長辺１１ｂと第４側壁板１４の他方の長辺１４ｂとを着脱可能に固定するようになっている。
【選択図】図１【図１】
0004108737.tif 000002
【図２】
0004108737.tif 000003
【図３】
0004108737.tif 000004
【図４】
0004108737.tif 000005
【図５】
0004108737.tif 000006